(57)【特許請求の範囲】
【請求項１】
画像を用紙に印刷する印刷手段と、
ジョブリセット指示に基づいて前記印刷手段の印刷動作を停止させる印刷停止手段と、
前記印刷動作を停止させた後にユーザ認証を行う認証手段と、
前記認証手段によりユーザ認証を行う際に、予め設定されたユーザ認証の対象を装置に設定されたユーザに変更する変更手段と、
該変更手段で変更されたユーザで前記ユーザ認証が失敗したときに、前記ジョブリセット指示を無視して前記印刷動作を再開させる制御手段と、を有し、
前記認証手段は、前記選択手段により選択されたユーザで認証を行うことを特徴とする
印刷処理装置。
【請求項２】
前記ユーザ認証を行う際、所定時間内に認証情報の入力がない場合は認証失敗とすることを特徴とする請求項１に記載の印刷処理装置。
【請求項３】
前記認証失敗回数を計測する計測手段と、前記ユーザ認証を行う際に、前記計測された認証失敗回数が所定回数以上の場合はジョブリセットを禁止する禁止手段と、を有することを特徴とする請求項１又は２に記載の印刷処理装置。
【請求項４】
前記ユーザ認証を行う際、前記装置に設定されたユーザで認証を行う場合に、ユーザを識別する情報をエラー履歴情報として記録することを特徴とする請求項１に記載の印刷処理装置。
【請求項５】
画像を用紙に印刷する印刷工程と、
ジョブリセット指示に基づいて前記印刷工程の印刷動作を停止させる印刷停止工程と、
前記印刷動作を停止させた後にユーザ認証を行う認証工程と、
前記認証工程によりユーザ認証を行う際に、予め設定されたユーザ認証の対象を装置に設定されたユーザに変更する変更工程と、
該変更工程で変更されたユーザで前記ユーザ認証が失敗したときに、前記ジョブリセット指示を無視して前記印刷動作を再開させる制御工程と、
を有することを特徴とする印刷処理方法。
【請求項６】
画像を用紙に印刷する印刷処理と、
ジョブリセット指示に基づいて前記印刷処理の印刷動作を停止させる印刷停止処理と、
前記印刷動作を停止させた後にユーザ認証を行う認証処理と、
前記認証処理によりユーザ認証を行う際に、予め設定されたユーザ認証の対象を装置に設定されたユーザに変更する変更処理と、
該変更処理で変更されたユーザで前記ユーザ認証が失敗したときに、前記ジョブリセット指示を無視して前記印刷動作を再開させる制御処理と、
をコンピュータに実行させるためのプログラム。
【請求項７】
前記ユーザの認証を行う際、所定時間内にユーザ情報の入力がない場合は認証失敗として処理することをコンピュータに実行させることを特徴とする請求項６に記載のプログラム。
【請求項８】
前記認証失敗回数を計測する計測処理と、前記ユーザ認証を行う時に、前記計測された認証失敗回数が所定回数以上の場合はジョブリセットを禁止する禁止処理とをコンピュータに実行させることを特徴とする請求項６又は７に記載のプログラム。
【請求項９】
前記ユーザ認証を行う際、前記装置に設定されたユーザで認証を行う場合に、ユーザを識別する情報をエラー履歴情報として記録する処理をコンピュータに実行させることを特徴とする請求項６に記載のプログラム。
【請求項１０】
請求項６〜９のいずれか１項に記載のプログラムを記録したコンピュータ読み取り可能な記録媒体。
【発明の詳細な説明】
【技術分野】
【０００１】
本発明は、印刷処理装置、この印刷処理装置で用いられる印刷処理方法、プログラム及びこのプログラムを記録したコンピュータ読み取り可能な記録媒体に関するものである。
【背景技術】
【０００２】
従来のプリンタ装置では、印刷開始時に、許可されているユーザのジョブであるかを判断して、許可されていない場合は、ジョブリセットを行い、許可されている場合に印刷を開始するようにしていた（例えば、特許文献１参照）。このため、印刷開始後は、誰でも操作が可能になる状態となり、このとき、もし悪意のある他人がジョブリセット操作を行うと、重要な印刷が破棄（ジョブリセット）されてしまうという問題があった。
【特許文献１】特開２００１−３２２３３８号公報
【発明の開示】
【発明が解決しようとする課題】
【０００３】
本発明は、印刷中に他人がジョブリセット操作を行って印刷が停止されてしまうのを防止することを課題とする。
【課題を解決するための手段】
【０００４】
請求項１記載の発明による印刷処理装置は、画像を用紙に印刷する印刷手段と、ジョブリセット指示に基づいて前記印刷手段の印刷動作を停止させる印刷停止手段と、前記印刷動作を停止させた後にユーザ認証を行う認証手段と、前記認証手段によりユーザ認証を行う際に、予め設定されたユーザ認証の対象を装置に設定されたユーザに変更する変更手段と、該変更手段で変更されたユーザで前記ユーザ認証が失敗したときに、前記ジョブリセット指示を無視して前記印刷動作を再開させる制御手段と、を有し、前記認証手段は、前記選択手段により選択されたユーザで認証を行うことを特徴とするものである。
【０００５】
請求項２記載の発明は、請求項１に記載の印刷処理装置において、前記ユーザ認証を行う際、所定時間内に認証情報の入力がない場合は認証失敗とすることを特徴とするものである。
【０００６】
請求項３記載の発明は、請求項１又は２記載の印刷処理装置において、前記認証失敗回数を計測する計測手段と、前記ユーザ認証を行う際に、前記計測された認証失敗回数が所定回数以上の場合はジョブリセットを禁止する禁止手段と、を有することを特徴とするものである。
【０００７】
請求項４記載の発明は、請求項１に記載の印刷処理装置において、前記ユーザ認証を行う際、前記装置に設定されたユーザで認証を行う場合に、ユーザを識別する情報をエラー履歴情報として記録することを特徴とするものである。
【０００８】
請求項５記載の発明による印刷処理方法は、画像を用紙に印刷する印刷工程と、ジョブリセット指示に基づいて前記印刷工程の印刷動作を停止させる印刷停止工程と、前記印刷動作を停止させた後にユーザ認証を行う認証工程と、前記認証工程によりユーザ認証を行う際に、予め設定されたユーザ認証の対象を装置に設定されたユーザに変更する変更工程と、該変更工程で変更されたユーザで前記ユーザ認証が失敗したときに、前記ジョブリセット指示を無視して前記印刷動作を再開させる制御工程と、を有することを特徴とするものである。
【０００９】
請求項６記載の発明によるプログラムは、画像を用紙に印刷する印刷処理と、ジョブリセット指示に基づいて前記印刷処理の印刷動作を停止させる印刷停止処理と、前記印刷動作を停止させた後にユーザ認証を行う認証処理と、前記認証処理によりユーザ認証を行う際に、予め設定されたユーザ認証の対象を装置に設定されたユーザに変更する変更処理と、該変更処理で変更されたユーザで前記ユーザ認証が失敗したときに、前記ジョブリセット指示を無視して前記印刷動作を再開させる制御処理と、をコンピュータに実行させるものである。
【００１０】
請求項７記載の発明は、請求項６記載のプログラムにおいて、前記ユーザの認証を行う際、所定時間内にユーザ情報の入力がない場合は認証失敗として処理することをコンピュータに実行させることを特徴とするものである。
【００１１】
請求項８記載の発明は、請求項６又は７に記載のプログラムにおいて、前記認証失敗回数を計測する計測処理と、前記ユーザ認証を行う時に、前記計測された認証失敗回数が所定回数以上の場合はジョブリセットを禁止する禁止処理とをコンピュータに実行させることを特徴とするものである。
【００１２】
請求項９記載の発明は、請求項６に記載のプログラムにおいて、前記ユーザ認証を行う際、前記装置に設定されたユーザで認証を行う場合に、ユーザを識別する情報をエラー履歴情報として記録する処理をコンピュータに実行させることを特徴とするものである。
【００１３】
請求項１０記載の発明による記録媒体は、請求項６〜９のいずれか１項に記載のプログラムを記録したコンピュータ読み取り可能であることを特徴とするものである。
【発明の効果】
【００１５】
本発明によれば、ジョブリセット指示に基づいてユーザ認証を行い、認証が失敗した場合はジョブリセットを無視してその印刷を続行することにより、他人がジョブリセット指示を行って印刷が停止されることを防止することができる。
【発明を実施するための最良の形態】
【００１６】
本発明は、ジョブリセット指示に基づいて一旦印刷動作を停止させた後、ユーザ認証を行い、ユーザ認証が失敗したときは登録されていない不正な者がジョブリセット操作を行ったものとして、そのジョブリセット指示を無視して印刷動作を再開させるようにしている。
【実施例】
【００１７】
以下、本発明の実施例を図面と共に説明する。
図１は本発明の実施例によるプリンタ装置を用いたプリンタシステムの構成を示すブロック図である。
図１において、１はホストコンピュータ、２はプリンタ装置、１０はネットワークである。ホストコンピュータ１は、ネットワーク１０を介してプリンタ装置２に対して印刷指示や印刷データの作成を行う。
【００１８】
プリンタ装置２において、３はＣＰＵで、装置全体を制御すると共に、ホストコンピュータ１からの印刷データを画像に変換して、プリンタエンジン４に渡す。４はプリンタエンジンで、画像を用紙に印刷する。５はメモリで、ＣＰＵ３が使用する記憶装置であり、プリンタ装置２が動作するプログラムが実装されると共に必要な情報が格納される。また、ＣＰＵ３で作成した画像を保存する。６はホストインタフェースで、ホストコンピュータ１とネットワーク１０で接続されている。７はエンジンインタフェースで、プリンタエンジン４が接続される。８は操作パネルで、ユーザからのキー入力と表示を行う。９は操作パネルインタフェースで、操作パネル８が接続される。
【００１９】
図２は本発明の実施例による動作を示すフローチャートである。図３はメモリ５に登録される各種データの例を示す。図４は操作パネル８に表示されるユーザ認証に関する表示例を示す。図３において、
（ａ）はユーザ認証のためのユーザ名とパスワードを示す。
（ｂ）はユーザ認証のための認証情報の入力がないと判断する時間のデータ例を示す。  （ｃ）はジョブリセット禁止にする失敗回数のデータ例を示す。
（ｄ）はエラー履歴のデータ例を示す。
【００２０】
図２において、印刷動作が行われているときステップＳ１（以下、ステップ略）で、操作パネル８のジョブリセットキー１２（図４（ａ）参照）の押下により、ジョブリセットが指示されると、Ｓ２では、後述するＳ５での認証失敗回数が、図３（ｃ）に示す予め設定された回数（ここでは９回）以上になっていた場合は、Ｓ１１で以降のジョブリセットを禁止して処理を終了する。上記認証失敗回数が設定回数より少ない場合は、Ｓ３でプリンタエンジン４に印刷停止を指示し、印刷動作が停止する。
【００２１】
ここでＳ４において、操作パネル８に図４（ｂ）のようにユーザ認証を促す表示を行う。そしてＳ５により操作パネル８によるユーザからの認証情報の入力を待つ。所定の待ち時間が経過した場合は、認証失敗としてＳ９に進む。
上記所定時間内に認証情報が入力された場合は、Ｓ６でその認証情報に基づいてユーザ認証を行う。ユーザ認証の方法は、例えば、図３（ａ）に示すメモリ５に登録されたユーザ名とパスワードを認証情報として行う方法がある。
【００２２】
あるいは、予め設定された内容によって、装置に設定されたユーザかジョブのユーザかを選択するようにしてもよい。装置に設定されたユーザが選択された場合は、図３（ａ）に登録された全てのユーザのどれかで認証できればよい。ジョブのユーザが選択された場合は、ジョブのユーザに一致するユーザ名で認証できなければならない。
【００２３】
Ｓ６で認証が成功したら、Ｓ７で図３（ｄ）のエラー履歴にユーザ名を記録する。次に、Ｓ８で、図４（ｃ）の表示を行うと共に、ジョブリセットを行い印刷動作が停止したままとなる。
一方、Ｓ６で認証が失敗したら、Ｓ９で認証失敗回数を計測した後、Ｓ１０でＳ１のジョブリセットを無視して、印刷の再開をプリンタエンジン４に指示し、印刷動作が再開される。
【００２４】
本実施例によれば、ジョブリセット指示に基づいてユーザ認証を行い、認証が失敗したらジョブリセットを無視することにより、印刷中に他人がジョブリセットを行うことを防止することができる。
また、ユーザ認証の際、所定時間内に認証情報の入力操作がない場合は、認証失敗とすることにより、ジョブリセットが無視されるので、印刷停止時間が不必要に長くなることがなく、印刷を再開することができる。
また、認証失敗回数が、所定回数以上になった場合は、以降のジョブリセットを禁止することにより、認証操作を何度も行ううちに認証が破られてしまう危険性を無くすことができる。
【００２５】
また、上記のようにジョブリセット指示で印刷停止後にユーザ認証を行うが、ユーザ認証の対象を、そのジョブのユーザだけを対象にしている場合は、そのジョブのユーザしかジョブリセットを行うことができないので、近くにジョブのユーザがいない場合は、無駄な印刷が行われていても、ジョブリセットして印刷を停止することができないので、用紙を無駄にするという問題が発生する。本実施例では、予め設定したユーザ認証の対象を、装置に設定されたユーザに選択することができるので、近くにジョブのユーザがいない場合でも、装置に設定されたユーザがジョブリセットを行うことができるため、用紙が無駄に使用されることを防止することができる。
【００２６】
また、装置に設定されたユーザがジョブリセットを行うことができるようになるが、誰がジョブリセットを行ったか分からないという問題が発生する。本実施例によれば、装置に設定されたユーザの認証でジョブリセットを行った場合は、そのジョブのエラー履歴に、ユーザの識別情報を記録するので、誰がジョブリセットを行ったかをエラー履歴を見ることで知ることができる。
【図面の簡単な説明】
【００２７】
【図１】本発明の実施例によるプリンタ装置の構成を示すブロック図である。
【図２】本発明の実施例による動作を示すフローチャートである。
【図３】登録されるデータの例を示す構成図である。
【図４】ユーザ認証画面及びそれに関連する画面を示す構成図である。
【符号の説明】
【００２８】
２    プリンタ装置
３    ＣＰＵ
４    プリンタエンジン
５    メモリ
８    操作パネル
１２    ジョブリセットキー
【図１】
0004621418.tif 000002
【図２】
0004621418.tif 000003
【図３】
0004621418.tif 000004
【図４】
0004621418.tif 000005